(57)【要約】【課題】従来の紙箱よりも、より確実に、かつ安定して把手片の係止片を被係止片の長孔に係止出来る、組立て紙箱の把手部の係止構造を提供する。【解決手段】天板が開口自在な把手付き組立て箱において、把手片４、１１の両側の係止片４ａ、１１ａの内側に上向き突起４ｂ、１１ｂを設け、上記係止片４ａ、１１ａの外側に下向き突起４ｃ、１１ｃを設け、被係止片６の下端縁から半円弧状の切り込み６ａを設けて舌片６ｂを形成し、舌片６ｂの略天頂部から長孔６ｃを設け、紙箱の組立て時、係止片４ａ、１１ａを長孔６ｃに嵌入した際、係止片４ａ、１１ａの上向き突起４ｂ、１１ｂは被係止片６の長孔６ｃの上部に係止され、下向き突起４ｃ、１１ｃは半円形状の舌片６ｂの略天頂部に係止される構成とした。【選択図】図１
0003191651.tif 000002
【実用新案登録請求の範囲】
【請求項１】
天板が開口した箱の一方の相対向する各上縁から折曲自在な開閉天板を略水平に夫々設け、これらの各開閉天板の先端に起立型の把手片を夫々設け、これらの各把手片を夫々起立させて重ね合わせた各把手片の両側に設けた係止片に、上記箱の他方の相対向する上縁に設けた被係止片の各長孔に夫々嵌入してなる把手付き組立て箱において、
上記把手片の各係止片に至る直前個所を切欠いて上向き突起を夫々設け、当該各係止片の外側縁を形成する個所の一部を切欠いて下向き突起を夫々設け、
上記各被係止片の下端縁の中央から略半円弧状の切り込みを設けて略半円形状の舌片を夫々形成し、当該舌片の略天頂部から垂直に一定長の長孔を夫々設け、
当該紙箱の組立て時、上記把手片の各係止片の先端を上記被係止片の各長孔に嵌入した際、当該各係止片の上縁の各上向き突起は上記被係止片の各長孔の上部に夫々係止され、上記各被係止片の外側に突出した上記係止片の各下向き突起は上記略半円形状の舌片の略天頂部に係止される構成であることを特徴とする、組立て紙箱の把手部の係止構造。
【請求項２】
上記各被係止片の一定長の長孔の上部から一側方向に一定長の湾曲した切り込みを設けたことを特徴とする、上記前請求項１に記載の組立て紙箱の把手部の係止構造。
【考案の詳細な説明】
【技術分野】
【０００１】
この考案は、洋菓子店等において、菓子やその他の食品等の持ち運びに使用される紙箱に関するものであって、上部に人が持つことが出来る把手部を設けた、組立て紙箱の把手部の係止構造に関するものである。
【背景技術】
【０００２】
従来、洋菓子店において、ケーキなどの生菓子を販売する際、持ち運びに便利な紙箱を使用している。この様な紙箱の中に、上部に把手部を設けた、いわゆるテイクアウトキャリー（以下、単に『キャリー箱』と言う）と言うものがある。
【０００３】
この様なキャリー箱として、特許文献１に記載された把手付き組立て箱がある。この組立て箱は、直方体又は立方体から成る箱の一方の相対する上縁から折曲自在な開閉天板をほぼ水平に設け、これらの各開閉天板の先端に起立型の把手片を設け、これらの把手片を起立させて重ね合わせて各把手片の両側に設けた係止片に、上記箱の他方の相対する上縁に設けた被係止片の長孔に嵌入してなる把手付き組立て箱において、底板の前後側縁に折り目を介して前側板及び後側板を設け、さらにこれらの前側板及び後側板の上縁に開閉天板を設け、これらの各開閉天板の先端縁に上記把手片を夫々設け、上記前側板又は後側板の左右両側縁に折り目を介して左右側板を夫々設け、これらの左右側板の左右外側縁に折り目を介して折り込み舌片を夫々設け、また上記各左右側板の上縁には上記被係止片を設け、また上記各左右側板の下縁には夫々折り目を介して連結片を設け、これらの各連結片に上記前後側板の角部付近から斜めに折り目を設け、当該折り目より底板側の部分を貼着片とし、上記底板と上記左右側板を有する前側板又は後側板とを上記折り目により組立て、各左右側板を底板上に組立て、さらに各連結片を折畳んで上記各貼着片の一部又は全部を底板の裏面に貼着したものである。
【０００４】
そして、上記被係止片には、上記各把手片の各係止片を嵌入自在な長孔を夫々設けており、これらの長孔の上縁から円弧状の切り込みを設けており、箱の組立て時に、上記各把手片の各係止片を上記被係止片の長孔に嵌入して上記把手片を固定すると言うものである。
【先行技術文献】
【特許文献】
【０００５】
【特許文献１】特開平７−２７７３２１号
【考案の開示】
【考案が解決しようとする課題】
【０００６】
しかしながら、この特許文献１の組立て箱では、上記各把手片の各係止片を上記被係止片の長孔に夫々嵌入し、嵌入された各被係止片は各切り込みによって形成される舌片によって押圧されるが、これらの押圧される力はそれ程強いものでは無く、外部からの衝撃を加えられれば、上記各係止片は長孔から容易に外れるおそれがある。
【０００７】
この考案は、この様な状況に鑑みて行われたもので、従来の紙箱よりも、より確実に、かつ安定して把手片の係止片を被係止片の長孔に係止出来る、組立て紙箱の把手部の係止構造を提供して上記課題を解決するものである。
【課題を解決するための手段】
【０００８】
請求項１の考案は、天板が開口した箱の一方の相対向する各上縁から折曲自在な開閉天板を略水平に夫々設け、これらの各開閉天板の先端に起立型の把手片を夫々設け、これらの各把手片を夫々起立させて重ね合わせた各把手片の両側に設けた係止片に、上記箱の他方の相対向する上縁に設けた被係止片の各長孔に夫々嵌入してなる把手付き組立て箱において、上記把手片の各係止片に至る直前個所を切欠いて上向き突起を夫々設け、当該各係止片の外側縁を形成する個所の一部を切欠いて下向き突起を夫々設け、上記各被係止片の下端縁の中央から略半円弧状の切り込みを設けて略半円形状の舌片を夫々形成し、当該舌片の略天頂部から垂直に一定長の長孔を夫々設け、当該紙箱の組立て時、上記把手片の各係止片の先端を上記被係止片の各長孔に嵌入した際、当該各係止片の上縁の各上向き突起は上記被係止片の各長孔の上部に夫々係止され、上記各被係止片の外側に突出した上記係止片の各下向き突起は上記略半円形状の舌片の略天頂部に係止される構成である組立て紙箱の把手部の係止構造とした。
【０００９】
請求項２の考案は、上記各被係止片の一定長の長孔の上部から一側方向に一定長の湾曲した切り込みを設けた上記前請求項１に記載の組立て紙箱の把手部の係止構造とした。
【考案の効果】
【００１０】
請求項１の考案によれば、上記係止片を被係止片の長孔内に嵌入した際、係止片の嵌入と共に、上記被係止片の当該長孔下の半円形状の舌片が嵌入方向へめくれるので、この舌片がガイドの役目を為し、係止片を被係止片の長孔内に容易に嵌入することが出来る。また、係止片の長孔内への嵌入後、上記略半円形状の舌片を上記係止片の外側縁の下向き突起の下に係止すると、上記係止片が長孔内で突き上がり、上記係止片の上縁の上向き突起に、上記被係止片の長孔上端が引っ掛かり、また、上記略半円形状の舌片の略天頂部が上記係止片の外側縁の下向き突起を押し上げるので、各係止片は被係止片の長孔内で上下を固定され、組立て紙箱全体として上下両方向からの衝撃に強く、紙箱全体として強度が増加し、外部から衝撃を受けても容易に係止が外れることは無い。
【００１１】
請求項２の考案によれば、各被係止片の一定長の長孔の上部から一側方向に一定長の湾曲した切り込みを設けたので、上記係止片を被係止片の長孔内に嵌入した際、係止片の嵌入と共に、上記被係止片の半円形状の舌片と、上記湾曲した切り込みと上記半円形状の舌片を形成する切り込みによって形成される舌片が夫々めくれるので、これらの２つの舌片がガイドの役目を為し、係止片を被係止片の長孔内に容易に嵌入することが出来る。
【図面の簡単な説明】
【００１２】
【図１】この考案の実施の形態例の組立て紙箱の把手部の係止構造を示す左側後方から見た一部斜視図である。
【図２】この考案の実施の形態例の組立て紙箱の展開図である。
【図３】図２における把手片の左側の係止片及び左側の被係止片の拡大図である。
【図４】この考案の実施の形態例の組立て紙箱を組立て、前側板を倒した状態の斜視図である。
【図５】この考案の実施の形態例の組立て紙箱を組立て、左側の被係止片の長孔内に把手片の係止片を貫入した状態の一部左側面図である。
【図６】図５における一部正面図である。
【考案を実施するための形態】
【００１３】
（実施の形態例）
以下、この考案の実施の形態例の組立て紙箱の把手部の係止構造を図に基づいて説明する。まず、この実施の形態例において使用する組立て紙箱Ａの構成を説明する。図２に示す様に、この組立て紙箱Ａは、長方形状の底板１の上端縁に折り目ａを介して長方形状の後側板２を設ける。
【００１４】
上記後側板２の上端縁に折り目ｂを介して長方形状の開閉天板３を設け、この開閉天板３の上端縁に折り目ｃを介して把手片４を設ける。上記開閉天板３と把手片４の接続個所は両端が折り目で、中央部は把手片上で雲形の切り込みにより切断されて、雲形舌片３ａを形成している。
【００１５】
また、上記把手片４の上端縁は、中央部が緩やかな山形形状で、左右の両端は突出した係止片４ａとなっている。上記把手片４の上端縁の各係止片４ａに至る直前個所に切欠きを設けて上向き突起４ｂを夫々設け、当該各係止片４の外側縁は上部の角を取って丸く設け、さらに、中部の一部を切欠いて下向き突起４ｃを設けている。
【００１６】
また、上記後側板２の左端縁には折り目ｄを介して左内側板５を設けており、この左内側板５の下端縁を一定幅切り欠いて外端に突起５ａを設けている。また、この左内側板５の上端縁には折り目ｅを介して略半円形状の被係止片６を設けている。この被係止片６上の下端縁付近の中央部には、図２及び図３に示す様に、略半円弧状の切り込み６ａを設けている。
【００１７】
さらに、上記切り込み６ａの天頂部から上方へ一定長の長孔６ｃを設けている。また、この長孔６ｃの上部には、上記開閉天板３に向けて、一定長の湾曲した切り込み６ｄを設けており、この切り込み６ｄの外側の端部は上記切り込み６aに向けて曲がり、その先は折り込み線となっている。
【００１８】
また、図２において、上記後側板２の右端縁には折り目ｆを介して右内側板７を設けており、この右内側板７の下端縁を一定幅切り欠いて外端に突起７ａを設けている。また、この右内側板７の上端縁には折り目ｇを介して略半円形状の被係止片８を設けている。この被係止片８上の下端縁付近の中央部には、図２に示す様に、略半円弧状の切り込み８ａを設けている。
【００１９】
さらに、上記切り込み８ａの天頂部から上方へ一定長の長孔８ｃを設けている。また、この長孔８ｃの上部には、上記開閉天板３に向けて、一定長の湾曲した切り込み８ｄを設けており、この切り込み８ｄの外側の端部は上記切り込み８aに向けて曲がり、その先は折り込み線となっている。
【００２０】
また、図２に示す様に、上記底板１の左端縁には、折り目ｈを介して正方形状の左外側板１２を設けている。この左外側板１２の、上記後側板２側の角部から伸びた対角線を折り目ｉとして設けており、この折り目ｉより外側の個所を後述する貼着部１２ａとして設けている（図２において斜線で示す。）。
【００２１】
また、上記折り目ｈ上の上記後側板２側の個所に一定長の切り込み１２ｂを設けている。さらに、この左外側板１２の下端縁には、折り目ｊを介して左折り込み片１３を設けている。
【００２２】
また、図２に示す様に、上記底板１の右端縁には、折り目ｋを介して正方形状の右外側板１４を設けている。この右外側板１４の、上記後側板２側の角部から伸びた対角線を折り目ｍとして設けており、この折り目ｍより外側の個所を後述する貼着部１４ａとして設けている（図２において斜線で示す。）。
【００２３】
また、上記折り目ｋ上の上記後側板２側の個所に一定長の切り込み１４ｂを設けている。さらに、この右外側板１４の下端縁には、折り目ｎを介して右折り込み片１５を設けている。
【００２４】
底板１の下端縁に折り目ｏを介して長方形状の前側板９を設けている。この前側板９の下端縁に折り目ｐを介して長方形状の開閉天板１０を設け、この開閉天板１０の下端縁に折り目ｑを介して把手片１１を設けている。上記開閉天板１０と把手片１１の接続個所は両端が折り目で、中央部は把手片上で雲形の切り込みにより切断されて、雲形舌片１０ａを形成している。
【００２５】
また、上記把手片１１の下端縁は、中央部が緩やかな山形形状（紙箱Ａ組立て時）で、左右の両端は突出した係止片１１ａとなっている。上記把手片１１の上端縁の各係止片１１ａに至る直前個所に切欠きを設けて上向き突起（紙箱Ａ組立て時）１１ｂを夫々設け、当該各係止片１１の外側縁は上部の角を取って丸く設け、さらに、中部の一部を切欠いて下向き突起（紙箱Ａ組立て時）１１ｃを設けている。
【００２６】
次に、この組立て紙箱Ａを組み立てる。最初に、上記底板１を中心に夫々の折り目（ａ〜ｑ）を介して各側板等を折り上げ又は折り込み、左内側板５の外側面と左外側板１２の内側面の上記対角線によって分けられた貼着部１２ａを接着剤によって貼着し、上記左内側板５の突起５ａを折り目ｈの切り込み１２ｂに差し込む。同様に、右内側板７の外側面と右外側板１４の内側面の上記対角線によって分けられた貼着部１４ａを接着剤によって貼着し、上記右内側板７の突起７ａを折り目ｋの切り込み１４ｂに差し込む。
【００２７】
そして、図４に示す様に、後側板２、左内側板５、左外側板１２、右内側板７、右外側板１４、被係止片６、８及び把手片４を立設した半紙箱を形成する。この状態では、前側板９を開放し、左折り込み片１３、右折り込み片１５を折り込んだ状態とする。
【００２８】
この後、この組立て紙箱Ａの中に、商品を入れ、上記前側板９を折り目ｏにより、折り上げて、開閉天板１０を折り目ｐにより水平に設けて、この把手片１１を折り目ｑにより折り上げて、この把手片１１全体を既に立設している把手片４全体に重ね合わせる。そして、図１、５及び６に示す様に、上記把手片４、１１の左側の係止片４ａ、１１ａの先端を上記被係止片６の各長孔６ｃ内に嵌入する。
【００２９】
この時、係止片４ａ、１１ａの嵌入と共に、上記湾曲した切り込み６ｄと上記切り込み６ａによって形成される舌片及び切り込み６ａによって形成される舌片６ｂが嵌入方向へ夫々めくれ、これらの舌片及び舌片６ｂがガイドの役目を為し、係止片４ａ、１１ａを被係止片６の長孔６ｃ内に容易に嵌入することが出来る。
【００３０】
また、係止片４ａ、１１ａの長孔６ｃ内嵌入後、上記係止片４ａ、１１ａの下向き突起４ｃ、１１ｃに上記半円形状の舌片６ｂを係止する。これにより、上記半円形状の舌片６ｂにより、係止片４ａ、１１ａを下から突き上げて係止することとなり、上記係止片４ａ、１１ａの上縁の上向き突起４ｂ、１１ｂに、上記被係止片６の長孔６ｃの上端が係止されることとなる。
【００３１】
さらに、同様にして、係止片４ａ、１１ａを被係止片８の長孔８ｃ内に嵌入する。これらにより、上記上向き突起４ｂ、１１ｂは長孔８ｃの上縁に係止され、下向き突起４ｃ、１１ｃは舌片８ｂに係止される。これらの様にして係止片４ａ、１１ａは長孔６ｃ、８ｃ内で固定される。その結果、組立て紙箱Ａ全体として上下両方向からの衝撃に強く、紙箱全体として強度が増加し、外部から衝撃を受けても容易に係止が外れることは無い。
【００３２】
上記実施の形態例では、上部に把手部を設けた、いわゆるキャリー箱として、具体的に記載しているが、キャリー箱としては、この構成に限定するものでは無く、実施の形態例と同様の作用効果を奏することが出来るものであれば、もちろん他の構成のキャリー箱でも良い。
【００３３】
さらに、上記各被係止片６、８の一定長の長孔６ｃ、８ｃの上部から一側方向に一定長の湾曲した切り込み６ｄ、８ｄを設けているが、この切り込み６ｄ、８ｄは無くとも良い。
【符号の説明】
【００３４】
Ａ    組立て紙箱
１    底板              ２    後側板            ３    開閉天板
４    把手片            ４ａ  係止片            ４ｂ  上向き突起
４ｃ  下向き突起        ５    左内側板          ６    被係止片
６ａ  切り込み          ６ｂ  舌片              ６ｃ  長孔
６ｄ  切り込み          ７    右内側板          ８    被係止片
８ａ  切り込み          ８ｂ  舌片              ８ｃ  長孔
８ｄ  切り込み          ９    前側板          １０    開閉天板
１１    把手片          １１ａ  係止片          １１ｂ  上向き突起
１１ｃ  下向き突起      １２    左外側板        １３    左折り込み片
１４    右外側板        １５    右折り込み片
【図１】
0003191651.tif 000003
【図２】
0003191651.tif 000004
【図３】
0003191651.tif 000005
【図４】
0003191651.tif 000006
【図５】
0003191651.tif 000007
【図６】
0003191651.tif 000008